(57)【要約】      （修正有）【課題】製造コストが低く、ほこりの侵入を避けることができ、外部の光線の影響も受けず、赤外線の発信と受信の誤りを避けることができ、累積の誤差は小さく、回転速度の変化をリアルタイムで検出できる回転スクリーンの回転速度検出装置を提供する。【解決手段】ベース１と、回転スクリーンを取り付けるハウジング３と、モータ４と、通信赤外線受信管５と、通信赤外線発信管６と、位相角赤外線受信管７と、位相角赤外線発信管８とを備え、モータは、ベースに取り付けられ、ハウジングはベースの出力端子に接続され、モータの回転中心には装着キャビティ９が設けられ、通信赤外線受信管が装着キャビティに設けられ、通信赤外線発信管はハウジングの回転中心に装着され、かつ通信赤外線受信管に対応して設けられ、位相角赤外線発信管はハウジングのベースに向かう側に設けられ、位相角赤外線受信管はベースのハウジングに向かう側に取り付けられる。【選択図】図３
0003226596.tif 000002
【実用新案登録請求の範囲】
【請求項１】
回転スクリーンの回転速度検出装置であって、ベース（1）と、回転スクリーン（2）を取
り付けるためのハウジング（3）と、モータ（4）と、通信赤外線受信管（5）と、通信赤
外線発信管（6）と、位相角赤外線受信管（7）と、位相角赤外線発信管（8）とを備えて
おり、前記モータ（4）は、前記ベース（1）に取り付けられ、前記ハウジング（3）は、
前記ベース（1）の出力端子に接続されており、前記モータ（4）の回転中心には装着キャ
ビティ（9）が設けられ、前記通信赤外線受信管（5）が前記装着キャビティ（9）に設け
られており、前記通信赤外線発信管（6）は、前記ハウジング（3）の回転中心に装着され
、かつ前記通信赤外線受信管（5）の位置に対応して設けられ、前記位相角赤外発信管(8)
は、前記ハウジング(3)の前記台座(1)に向かう側に設けられ、前記位相角赤外線受信管(7
)は、前記台座(1)の前記ハウジング(3)に向かう側に取り付けられていることを特徴とす
る回転スクリーンの回転速度検出装置。
【請求項２】
前記ベース（1）及び前記ハウジング（3）にはそれぞれコイル（10）が設けられているこ
とを特徴とする請求項1に記載の回転スクリーンの回転速度検出装置。
【請求項３】
前記ベース（1）の底部には、基板（11）が取り付けられていることを特徴とする請求項1
に記載の回転スクリーンの回転速度検出装置。
【請求項４】
前記基板（11）の底部には、スライドレール（12）が取り付けられていることを特徴とす
る請求項3に記載の回転スクリーンの回転速度検出装置。
【請求項５】
前記ベース（1）には、複数の前記位相角赤外線受信管（7）が取り付けられていることを
特徴とする請求項1に記載の回転スクリーンの回転速度検出装置。
【考案の詳細な説明】
【技術分野】
【０００１】
本考案は、回転スクリーンの分野に関し、特に回転スクリーンの回転速度検出装置に関す
る。
【背景技術】
【０００２】
従来技術の回転スクリーンの回転速度検出装置は、エンコーダを採用したものと、赤外線
パルスを検出する方式で回転速度を検出するものとの2種類が存在する。
【０００３】
このようなエンコーダーを採用する方式は、一周の回転を可能にし、各位相角度に目盛が
あり、直接目盛を読み取り、対応するデータを目盛に従って出力し、LEDを駆動する。
【０００４】
赤外線パルスを検出する方式は、前の回転速度を計算して次の回転速度を決定するという
方式である。この方式は簡単であるが、欠点は、次の周の速度が前の周の速度と異なる可
能性があり、このように表示される画面がぶれたり不完全になり、太陽光や他の赤外線の
影響を受けやすいということである。また、密封できないため、ほこりがつきやすく、時
間がたつと信号が届かなくなる。
【考案の概要】
【考案が解決しようとする課題】
【０００５】
この実用新案は、少なくとも一つの技術的問題を解決するために、回転スクリーンの回転
速度検出装置を提供する。。
【課題を解決するための手段】
【０００６】
上記の問題を解決するために、本実用新案の一態様として、回転スクリーンの回転速度検
出装置は、ベース（1）と、回転スクリーン（2）を取り付けるためのハウジング（3）と
、モータ（4）と、通信赤外線受信管（5）と、通信赤外線発信管（6）と、位相角赤外線
受信管（7）と、位相角赤外線発信管（8）とを備えており、前記モータ（4）は、前記ベ
ース（1）に取り付けられ、前記ハウジング（3）は、前記ベース（1）の出力端子に接続
されており、前記モータ（4）の回転中心には装着キャビティ（9）が設けられ、前記通信
赤外線受信管（5）が前記装着キャビティ（9）に設けられており、前記通信赤外線発信管
（6）は、前記ハウジング（3）の回転中心に装着され、かつ前記通信赤外線受信管（5）
の位置に対応して設けられ、前記位相角赤外発信管(8)は、前記ハウジング(3)の前記台座
(1)に向かう側に設けられ、前記位相角赤外線受信管(7)は、前記台座(1)の前記ハウジン
グ(3)に向かう側に取り付けられている。
【０００７】
好ましくは、前記ベースおよび前記ハウジング内にはそれぞれコイルが設けられている。
【０００８】
好ましくは、前記ベースの底部には、基板が取り付けられている。
【０００９】
好ましくは、前記ベースの底部には、スライドレールが取り付けられている。
【００１０】
好ましくは、前記ベースには複数の位相角赤外線受信管が取り付けられている。
【考案の効果】
【００１１】
上述の技術を採用したため、本実用新案の製造コストは低く、ほこりの侵入を避けること
ができ、同時に外部の光線の影響も受けず、赤外線の発信と受信の誤りを避けることがで
きる。また累積の誤差は小さく、回転速度の変化をリアルタイムで検出することができる
。回転速度の変化によって画面を調整できる。
【図面の簡単な説明】
【００１２】
【図１】図1は、本考案の全体構成を概略的に示す図である。
【図２】図2は、本考案の概略的な分解図である。
【図３】図3は、本実用新案の概略的な断面図である。
【００１３】
［符号の説明］
1、台座、2、回転スクリーン、3、ハウジング、4、モータ、5、通信赤外線受信管、6、通
信赤外線発信管、7、位相角赤外線受信管、8、位相角赤外線発信管、9、キャビティ、10
、コイル、11、基板、12、スライドレール、13、ホストマザーボード、14、駆動板
【考案を実施するための形態】
【００１４】
以下、図面に関連して本考案の実施形態を詳細に説明するが、本考案は、特許請求の範囲
によって限定され、包括ーされた様々な態様で実施されてもよい。
【００１５】
本実用新案の一態様は、ベース1と、回転スクリーン2を取り付けるためのハウジング3と
、モータ4と、通信赤外線受信管5と、通信赤外線発信管6と、位相角赤外線受信管7と、位
相角赤外線発信管8とを備えた回転スクリーンの回転速度検出装置を提供する。前記モー
タ4の回転中心には装着キャビティ9が設けられており、前記装着キャビティ9には、前記
通信赤外線送信管6が前記ハウジング3の回転中心に取り付けられ、前記通信赤外線受信管
5の位置に対応して設けられており、前記位相角赤外発信管8は、前記ハウジング3の前記
台座1に向かう側に取り付けられている。角赤外線受信管7は、台座1のハウジング3に向か
う側に取り付けられている。
【００１６】
ベース1、ハウジング3の中間部分に赤外線発信・受信機を設置することにより、ほこりが
入らないようにすることができ、同時に外部の光の影響も受けず、赤外線発信・受信の誤
りを避けることができる。
【００１７】
好ましくは、前記ベース1およびハウジング3内にはそれぞれコイル10が設けられている。
2つの嵌合したセットのコイル10により、ハウジング3に取り付けられたホストマザーボー
ド13に対する電力供給が可能となる。また、台座1には、モータ4および通信赤外線受信管
5、位相角赤外線受信管7を駆動するための駆動板14が取り付けられている。ここで、通信
赤外線受信管5、通信赤外線発信管6は、ホストボード13と駆動板14との間の通信及びデー
タ転送に使用されてもよく、位相角赤外線受信管7、及び位相角赤外発信管8は、モータ4
の位相、回転速度を検出するために使用される。なお、回転速度の検出は従来技術であり
、ここでは説明を省略する。
【００１８】
ブラシレスモータの回転速度は、ブラシレスモータ固定子コイルに入力された電流の交流
周波数を変えて制御されるとともに、モータ回転数も負荷の影響を受けているため、ブラ
シレスモータの位相角ごとに信号フィードバックがあり、このフィードバック信号によっ
て駆動板14が角速度を算出し、通信赤外線受信管5、通信赤外線発信管6を介して信号を算
出することができる。赤外線方式はホストボード13に伝送され、ホストマザーボード13は
ビデオ復号を利用してビデオストリームを回転表示のフォーマットに変換し、LEDを駆動
して、回転表示画面2をリアルタイムで更新して表示することができる。
【００１９】
好ましくは、台座1の底部には、基板11が取り付けられている。好ましくは、前記基板11
の底部には、スライドレール12が取り付けられている。このように、本実用新案の台座1
を、スライド12により容易に取り付けることができる。
【００２０】
好ましくは、前記ベース1には、複数の前記位相角赤外線受信管7が設けられている。好ま
しくは、本実用新案に使用されるモータはブラシレスモータであり、3つの位相があり、
つまりモータが1周回転すると3つのトリガ信号がフィードバックされ、3つのトリガ信号
によりモータの回転速度が計算される。また、本実用新案におけるモータは中空であり、
通信赤外線受信管5は、前記装着キャビティ9に装着されており、回転によって位置が合わ
なくなることはない。駆動板14は、モータ4を駆動しながら、角相角赤外発信管8が信号を
送信し、位相角赤外線受信管7が信号を受信し、駆動板14が回転速度を得る。駆動板14は
また、通信赤外線受信管5、通信赤外線発信管6、位相角赤外線受信管7を介してホストボ
ード13に通信し、その内部にビデオデコーダがあり、直接出力ビデオストリームがFPGAに
送信され、FPGAは、スクリーンストリームを再列に並べ、FPGAは、回転数と位置決め赤外
線の異なる位置から対応するデータをLED駆動ICに出力する。
【００２１】
また、モータが回転するたびに位置フィードバック信号が3つあるので、従来技術の測定
速度よりも2つ多くなる。例えば、3つの位置をABCに分けて、AからB、BからC、CからAま
での回転時間と位置を記録する。例えば、AからBまでの所要時間は1秒、CからCは0.9秒、
CからAまでは0.8秒と分かる。そのように一周するには速度が一つしかない。このように
積算誤差が小さくなり、回転速度の変化がリアルタイムに検出され、回転速度の変化に応
じて画面を調整することができる。
【００２２】
上記は本実用新案の好適な実施形態にすぎず、本実用新案を限定するものではなく、当業
者にとって本考案は様々な変更および修正が可能である。本実用新案の精神と原則の内に
、行ったいかなる修正、均等な交換、改良などは、本実用新案の保護範囲に含まれるべき
である。
【図１】
0003226596.tif 000003
【図２】
0003226596.tif 000004
【図３】
0003226596.tif 000005